(57)【特許請求の範囲】
【請求項１】
所定の色域に対応した色票の色の分光特性を２乗してなる分光特性を、高彩度化分光特性として設定する分光特性設定手段と、
設定された前記高彩度化分光特性に基づき、光源光の各波長成分の強度を調整し調整後の該各波長成分を合成することにより、前記高彩度化分光特性と相関する分光分布を有する、前記所定の色域よりも彩度の高い特定の色域に対応した高彩度の色光を生成する色光生成手段と、
生成された前記高彩度の色光を拡散して出射する拡散出射手段と、
を備えたことを特徴とする高彩度色光生成装置。
【請求項２】
前記高彩度化分光特性と相関する分光分布は、前記光源光の分光分布と前記高彩度化分光特性とを乗算してなる分光分布である、ことを特徴とする請求項１に記載の高彩度色光生成装置。
【請求項３】
前記色光生成手段は、
白色光源からの前記光源光を各波長成分に分光する分光素子と、
前記分光素子により分光された前記各波長成分の相対強度を調整する波長成分強度調整素子と、
前記波長成分強度調整素子からの前記各波長成分を合成する導光素子と、を備えてなることを特徴とする請求項１または２に記載の高彩度色光生成装置。
【請求項４】
所定の色域に対応した色票の色の分光特性を２乗してなる分光特性を、高彩度化分光特性として設定する分光特性設定ステップと、
設定された前記高彩度化分光特性に基づき、光源光の各波長成分の強度を調整し調整後の該各波長成分を合成することにより、前記高彩度化分光特性と相関する分光分布を有する、前記所定の色域よりも彩度の高い特定の色域に対応した高彩度の色光を生成する色光生成ステップと、
生成された前記高彩度の色光を拡散して出射する拡散出射ステップと、
出射された前記高彩度の色光を、被検カメラにより撮影する色光撮影ステップと、
前記被検カメラにより撮影された前記高彩度の色光の再現色データを、該高彩度の色光の参照用色データと比較することにより、前記被検カメラによる色再現性を評価する色再現評価ステップと、
を各前記色票の色についてこの順に行うことを特徴とする色再現評価方法。
【発明の詳細な説明】
【技術分野】
【０００１】
本発明は、カメラ、ディスプレイ、プリンタ等において再現された色の評価や校正を行う際に必要とされる、標準となる色（色光）を生成する技術に関するものであり、特に、色の再現域が広いカメラ等の色再現評価用として好適な高彩度の色光を生成する高彩度色光生成装置及び色再現評価方法に関する。
【背景技術】
【０００２】
近年、色再現域の広いカメラ、ディスプレイ、プリンタ等が開発され、広色域化の要求が高まっている。ハイビジョン（登録商標）に代表されるHDTV（High Definition Television）の解像度を上回る次世代のテレビジョンシステムであるスーパーハイビジョン（UHDTV：Ultra High Definition Television）においても、ハイビジョンに対応したRec．709と称される従来の色域に比較して、ＲＧＢの３原色の彩度をより高く設定した広色域表色系が提案されている。
【０００３】
カメラ等の色再現機器においては、再現された色が元の色と一致しているか等を判断するための色再現評価を行い、再現される色の校正を行うことが重要となる。従来の色域（Rec．709）に対応したカメラ等における色再現評価・色校正では、２４色の色票（カラーパッチ）を有する、ColorChecker Classicと称される反射型のカラーチャート（従来「マクベスチャート」という名称で広く知られているので、本明細書では、以下「マクベスチャート」と称する）が、デファクトスタンダードして一般的に用いられている。
【０００４】
一方、従来のものよりも色再現域の広いカメラ等における色再現評価・色校正を適正に行うためには、従来の色域を越えた高彩度の色域において標準となる高彩度の色（以下、適宜「高彩度標準色」と称する）が必要となるが、このような高彩度標準色は確立されておらず、種々の提案や試みがなされている段階である。
【０００５】
例えば、下記特許文献１には、高い彩度を有する透光性カラーフィルタを透過型色票として備えた透過型のカラーチャートを作成し、透光性カラーフィルタの透過色（透光性カラーフィルタを照明したときに透光性カラーフィルタを透過する光の色）を、高彩度標準色として用いることが提案されている。また、従来のマクベスチャートよりも高い彩度を有する反射型色票を備えた反射型のカラーチャートを作成し、反射型色票の表面色（反射型色票を照明したときに反射型色票から反射される光の色）を高彩度標準色として用いる試みもなされている。
【先行技術文献】
【特許文献】
【０００６】
【特許文献１】特開２００３−１７２６５９号公報
【発明の概要】
【発明が解決しようとする課題】
【０００７】
上述したような従来手法により高彩度の色（色光）を生成するためには、これまでの色材よりも彩度の高い色材を用いて色票を着色することが必要となる。しかし、高彩度の色材として知られている有機顔料は一般に耐久性が低く、このような色材を色票の着色材として用いた場合、時間的に安定した表色性能を発揮することが困難となる。
【０００８】
本発明はこのような事情に鑑みなされたものであり、高彩度標準色として用いることができる高彩度な色光を安定して生成することが可能な高彩度色光生成装置及び色再現評価方法を提供することを目的とする。
【課題を解決するための手段】
【０００９】
上記課題を解決するため本発明に係る高彩度色光生成装置は、
所定の色域に対応した色票の色の分光特性を２乗してなる分光特性を、高彩度化分光特性として設定する分光特性設定手段と、
設定された前記高彩度化分光特性に基づき、光源光の各波長成分の強度を調整し調整後の該各波長成分を合成することにより、前記高彩度化分光特性と相関する分光分布を有する、前記所定の色域よりも彩度の高い特定の色域に対応した高彩度の色光を生成する色光生成手段と、
生成された前記高彩度の色光を拡散して出射する拡散出射手段と、を備えたことを特徴とする。
【００１０】
本発明に係る高彩度色光生成装置において、前記高彩度化分光特性と相関する分光分布は、前記光源光の分光分布と前記高彩度化分光特性とを乗算してなる分光分布とすることができる。
また、前記色光生成手段は、白色光源からの前記光源光を各波長成分に分光する分光素子と、前記分光素子により分光された前記各波長成分の相対強度を調整する波長成分強度調整素子と、前記波長成分強度調整素子からの前記各波長成分を合成する導光素子と、を備えてなるものとすることができる。
【００１１】
また、本発明に係る色再現評価方法は、
所定の色域に対応した色票の色の分光特性を２乗してなる分光特性を、高彩度化分光特性として設定する分光特性設定ステップと、
設定された前記高彩度化分光特性に基づき、光源光の各波長成分の強度を調整し調整後の該各波長成分を合成することにより、前記高彩度化分光特性と相関する分光分布を有する、前記所定の色域よりも彩度の高い特定の色域に対応した高彩度の色光を生成する色光生成ステップと、
生成された前記高彩度の色光を拡散して出射する拡散出射ステップと、
出射された前記高彩度の色光を、被検カメラにより撮影する色光撮影ステップと、
前記被検カメラにより撮影された前記高彩度の色光の再現色データを、該高彩度の色光の参照用色データと比較することにより、前記被検カメラによる色再現性を評価する色再現評価ステップと、を各前記色票の色についてこの順に行うことを特徴とする。
【００１２】
上記「所定の色域」とは、Rec．709のような従来の一般的な色域とすることができるが、これに限定されるものではなく、任意の色域とすることが可能である。
【００１３】
また、上記「所定の色域に対応した色票」とは、従来の一般的な色域での色再現評価に用いられるマクベスチャートの色票のような標準的な色票とすることが好ましいが、これに限定されるものではなく、任意の色票とすることが可能である。
【００１４】
また、上記「色票の色の分光特性」とは、色票が反射型色票である場合には、該反射型色票の色の分光反射率、または該反射型色票を照明した際に該反射型色票から反射される色光の分光分布とすることができ、色票が透過型色票である場合には、該透過型色票の色の分光透過率、または該透過型色票を照明した際に該透過型色票を透過する色光の分光分布とすることができる。
【００１５】
また、上記「高彩度化分光特性と相関する分光分布」とは、高彩度化分光特性と相等しい分光分布（高彩度化分光特性における各波長成分の割合と、相関する分光分布における各波長成分の割合とが等しい分光分布）を含む概念である。
【発明の効果】
【００１６】
本発明に係る高彩度色光生成装置及び色再現評価方法によれば、上述の特徴を備えていることにより、以下のような効果を奏する。
【００１７】
すなわち、本発明により生成される高彩度の色光は、所定の色域に対応した色票の色の分光特性を２乗してなる高彩度化分光特性と相関する分光分布を有しているので、色票の色と同様の色相を有しつつ彩度の高い色光となる。しかも、この高彩度の色光は、色票を介して生成されるものではなく、光源光の各波長成分の強度を調整し調整後の各波長成分を合成することにより生成されるものであるので、耐久性が低い高彩度の色材を用いて色票を着色する必要はない。
【００１８】
したがって、本発明によれば、安定した表色性能を発揮することが可能な高彩度の色光を生成することができ、この高彩度の色光を、従来の色域を越えた高彩度の色域において標準となる高彩度標準色として利用することが可能となる。
【００１９】
また、本発明に係る色再現評価方法によれば、安定した表色性能を発揮することが可能な高彩度の色光を用いることにより、従来よりも高彩度な色を再現し得る色再現域の広いカメラ等の色再現評価を適正に行うことが可能となる。
【００２０】
特に、高彩度化分光特性を設定する際の基礎とする色票として、マクベスチャートのような標準的なカラーチャートにおける各色の色票を順次用いるようにすれば、従来の色域を越えた高彩度の色域における色再現評価においても、従来の色域における色再現評価と同等の信頼性を得ることが可能となる。
【図面の簡単な説明】
【００２１】
【図１】本発明の一実施形態に係る高彩度色光生成装置の概略構成を示す図である。
【図２】図１に示す色光生成装置の光学系の概略構成を示す図である。
【図３】図１に示す解析制御装置の概略構成を示すブロック図である。
【図４】分光特性データの一例を示す図である。
【図５】高彩度化分光分布を設定する際の基礎とする色票を有するカラーチャートの一例を示す図である。
【図６】高彩度化分光特性の一例を示すグラフである。
【図７】高彩度化分光特性の別の例を示すグラフである。
【図８】図５に示すカラーチャートの各色票の色度点の分布を示すグラフである。
【図９】高彩度色光生成装置により生成される各高彩度な色光の色度点の分布を示すグラフである。
【図１０】実在する表面色のデータベースであるポインターカラーの色度分布を示すグラフである。
【図１１】被検カメラにより再現された色（再現色）とその本来の色（参照色）との色差の一例を示すグラフである。
【図１２】ｘｙ色度図上における、被検カメラにより再現された色（再現色）とその本来の色（参照色）の色度点の分布の一例を示すグラフである。
【発明を実施するための形態】
【００２２】
以下、本発明に係る高彩度色光生成装置及び色再現評価方法の各実施形態について、上記図面を参照しながら詳細に説明する。
【００２３】
〈高彩度色光生成装置〉
図１に示す高彩度色光生成装置１０は、被検カメラ７０により再現される色（再現色）を評価するための色再現評価システムとして構成されたものであり、色光生成装置２０、積分球３０及び解析制御装置４０を備えてなる。
【００２４】
上記色光生成装置２０は、本実施形態において色光生成手段に相当するものであり、図２に示すように、光源２１、レンズ２２、分光素子２３、波長成分強度調整素子２４、レンズ２５及び導光素子２６等からなる光学系を備えている。
【００２５】
光源２１は、可視光域（例えば、３８０〜７８０ｎｍ）における各波長成分を総じて含む白色光源（例えば、相関色温度６５００Ｋの光を出力するＤ６５光源）が用いられる。分光素子２３は、反射型の回折格子（透過型の回折格子やプリズムを用いてもよい）からなり、光源２１からレンズ２２を介して入射された光（光源光）を、各波長成分に分光するように構成されている。
【００２６】
波長成分強度調整素子２４は、多数の微小な可動ミラーを２次元的に配列してなるミラーアレイ素子（例えば、Texas Instruments社のＤＭＤ素子）により構成されている。ミラーアレイ素子の各ミラー列は、可視光域を所定の波長幅（例えば、５ｎｍ）の複数の波長帯域に分割したときの各波長帯域に対応しており、各ミラー列における各可動ミラーはオン方向（反射した光がレンズ２５に入射する向き）とオフ方向（反射した光がレンズ２５に入射しない向き）との間で、反射面の向きを切り替えられるようになっている。このため、１つのミラー列における各可動ミラーについて、オン方向を向くものとオフ方向を向くものとの割合を調整することにより、レンズ２５に入射させる、そのミラー列に対応した波長成分の強度を調整することができ、この操作を各ミラー列において行うことにより、各波長成分の割合（相対強度）を調整することができるようになっている。
【００２７】
導光素子２６は、光ファイバーにより構成されており、レンズ２５を介して波長成分強度調整素子２４から入射した各波長成分を合成して色光を生成し、この色光を上記積分球３０に導くようになっている。
【００２８】
なお、このような色光生成装置２０としては、例えば、OneLight社の波長プログラマブルム光源（型番：OSVISX）として実用化されているものを利用することが可能である。
【００２９】
上記積分球３０（図１参照）は、本実施形態において拡散出射手段に相当するものである。積分球３０は、その内面が硫酸バリウムや酸化チタン等の白色塗料を塗布されてなる拡散反射面により構成されており、導光素子２６から入力された色光を拡散反射することにより色光の輝度分布を均一化し、その、輝度分布が均一化された色光を出力用開口３１から出射するように構成されている。
【００３０】
上記解析制御装置４０は、本実施形態において分光特性設定手段に相当するものであり、コンピュータ等の演算処理装置（図１ではノート型のパーソナルコンピュータを例示しているが、これに限定されるものではない）により構成されている。この解析制御装置４０は、上記色光生成装置２０により生成される高彩度の色光の分光分布を規定するための高彩度化分光特性を設定するとともに、被検カメラ７０による色再現性を評価するように構成されており、図３に示すように、分光特性データ記憶部４１、高彩度化分光特性算出部４２及び色再現評価部４３を備えている。なお、分光特性データ記憶部４１、高彩度化分光特性算出部４２及び色再現評価部４３は、ＣＰＵやＲＯＭ、ＲＡＭ、電子回路等のハードウエア、及びＲＯＭ等に格納された制御プログラム等のソフトウエアにより構成されるものを機能的に表したものである。
【００３１】
分光特性データ記憶部４１は、上記高彩度化分光特性を設定するための基礎となる分光特性のデータ（以下、適宜「基礎分光特性データ」と称する）を記憶している。本実施形態では、この基礎分光特性データとして、図５に示す反射型のカラーチャート５０の各色票（カラーパッチ）Ｐ１〜Ｐ２４の色の分光反射率のデータを用いており、この分光反射率のデータが、図４に示すように、各色票Ｐ１〜Ｐ２４別に記憶されている（図４では、一部のみを示している）。
【００３２】
なお、図５に示すカラーチャート５０は、従来の色域（Rec．709）に対応した標準的な仕様のものであり、２４色の反射型の色票Ｐ１〜Ｐ２４を備えている。各色票Ｐ１〜Ｐ２４の色は、従来のマクベスチャートにおける各色票の色と略一致するように設定されており、各色の配列順もマクベスチャートと同じとされている（色票Ｐ１〜Ｐ１８は有彩色、色票Ｐ１９〜Ｐ２４は無彩色）。
【００３３】
高彩度化分光特性算出部４２は、分光特性データ記憶部４１に記憶された、各色票Ｐ１〜Ｐ２４の色の分光反射率のデータに基づいて、各色票Ｐ１〜Ｐ２４（有彩色の色票Ｐ１〜Ｐ１８としてもよい）の色ごとに、その分光反射率を２乗してなる高彩度化分光特性を算出する（分光反射率をＲ（λ）とするとき、{Ｒ（λ）}２を算出する）。算出された各高彩度化分光特性のデータは分光特性データ記憶部４１に格納されるように構成されている。算出された高彩度化分光特性の具体例を、図６及び図７に示す。なお、図６及び図７に示すグラフにおける縦軸の数値は反射率を示している。
【００３４】
図６には、カラーチャート５０（図５参照）の色票Ｐ１４の色（green）の分光反射率（図中一点鎖線で示す曲線Ｃ１）と、これに基づき算出された、色票Ｐ１４の色の分光反射率を２乗してなる高彩度化分光特性（図中破線で示す曲線Ｃ２及び実線で示す曲線Ｃ３）が示してある。なお、曲線Ｃ２は、色票Ｐ１４の色の分光反射率（曲線Ｃ１の縦軸の数値）を単に２乗した場合の形状を示しており、曲線Ｃ３は、曲線Ｃ２におけるピークの高さが、曲線Ｃ１におけるピークの高さと一致するように、曲線Ｃ２を縦軸方向に定数倍したものである。曲線Ｃ２と曲線Ｃ３は、グラフとしての形状が異なって見えるが、各波長成分の割合（相対強度）を示すグラフとしては、互いに等しいものである。曲線Ｃ１と曲線Ｃ３とを比較すると、曲線Ｃ１よりも曲線Ｃ３の方が、ピーク波長付近での傾きが急になっており、このことから、色票Ｐ１４の色の分光反射率を２乗してなる高彩度化分光特性は、色票Ｐ１４の色の分光反射率よりも彩度が高い特性を有していることが分かる。
【００３５】
図７には、カラーチャート５０（図５参照）の色票Ｐ５の色（blue flower）の分光反射率（図中一点鎖線で示す曲線Ｃ１１）と、これに基づき算出された、色票Ｐ５の色の分光反射率を２乗してなる高彩度化分光特性（図中破線で示す曲線Ｃ１２及び実線で示す曲線Ｃ１３）が示してある。なお、曲線Ｃ１２は、色票Ｐ５の色の分光反射率（曲線Ｃ１１の縦軸の数値）を単に２乗した場合の形状を示しており、曲線Ｃ１３は、曲線Ｃ１２における最大のピーク（長波長側のピーク）の高さが、曲線Ｃ１１における最大のピーク（同じ長波長側のピーク）の高さと一致するように、曲線Ｃ１２を縦軸方向に定数倍したものである。曲線Ｃ１２と曲線Ｃ１３は、グラフとしての形状が異なって見えるが、各波長成分の割合（相対強度）を示すグラフとしては、互いに等しいものである。曲線Ｃ１１と曲線Ｃ１３とを比較すると、曲線Ｃ１１よりも曲線Ｃ１３の方が、２つのピーク波長付近での傾きが共に急になっており、このことから、色票Ｐ５の色の分光反射率を２乗してなる高彩度化分光特性は、色票Ｐ５の分光反射率色よりも彩度が高い特性を有していることが分かる。
【００３６】
色再現評価部４３（図３参照）は、被検カメラ７０により撮影された色光の再現色データを、参照用色データと比較することにより、被検カメラ７０による色再現性を評価するように構成されている。
【００３７】
上記解析制御装置４０は、高彩度化分光特性算出部４２により算出された、各色票Ｐ１〜Ｐ２４の色に基づく各々の高彩度化分光特性を、上記色光生成装置２０により生成される色光の分光分布を規定するために順次設定する。
【００３８】
上記色光生成装置２０は、設定された各高彩度化分光特性に基づき、波長成分強度調整素子２４において、光源光の各波長成分の割合（相対強度）を調整することにより、高彩度化分光特性と相関する分光特性、例えば、光源光の分光分布と高彩度化分光特性とを乗算してなる分光特性（光源光の分光分布をＰ（λ）、高彩度化分光特性を{Ｒ（λ）}２とするとき、Ｐ（λ）×{Ｒ（λ）}２となる分光特性）を有する高彩度の色光を、設定された各々の高彩度化分光特性ごとに順次生成する。生成された各高彩度の色光は、上記積分球３０において拡散され輝度分布を均一化された後、出力用開口３１から出射される。
【００３９】
〈高彩度の色光の色度点〉
上述したカラーチャート５０の各色の色票Ｐ１〜Ｐ２４の色度点（色度座標）は、国際照明委員会（ＣＩＥ）が定めたＸＹＺ表色系のｘｙ色度図上において、図８に示すように分布している。これに対し、本実施形態の高彩度色光生成装置１０により生成される各高彩度の色光の色度点は、ｘｙ色度図上において、図９に示すように分布している。なお、図８，９に示す各色度点は、下記参考文献１に記載された色データに基づき、Ｄ６５光源の分光分布下で計算により求めたものである。
参考文献１：大田登  色再現工学の基礎  コロナ社  1997年
【００４０】
図８に示すように、カラーチャート５０の各色の色票の色度点は、従来のHDTVでの色域（図中の小さい方の三角形の領域）内において分布している。これに対し、高彩度色光生成装置１０により生成される各高彩度の色光の色度点は、図９に示すように、それらのうちの幾つかの色度点がHDTVの色域を超えた領域に分布するなど、全体として次世代のUHDTVで提案されている広色域（図中の大きい方の三角形の領域）内に広く分布していることが分かる。このため、高彩度色光生成装置１０により生成される各高彩度の色光は、次世代のUHDTVで提案されている広い色域に対応した色を代表する色光として、テレビカメラ等における色再現評価に用いることが可能となっている。
【００４１】
図１０に、実在する表面色のデータベースであるポインターカラー（pointer’s color）の色度分布を示す。このポインターカラーの色度分布を参照すると、高彩度色光生成装置１０により生成される各高彩度の色光の色度点は、カラーチャート５０の各色の色票の色度点よりも、実在する色の分布を代表していることが分かる。
【００４２】
なお、本実施形態の高彩度色光生成装置１０は、上記カラーチャート５０の各色票Ｐ１〜Ｐ２４の色と同じ分光特性を有する色光（以下、適宜「標準彩度の色光」と称する）を生成することも可能である。この場合には、上述の各高彩度化分光特性の代わりに、各色票Ｐ１〜Ｐ２４の色の分光反射率を、上記色光生成装置２０により生成される色光の分光分布を規定するための分光特性として設定すればよい。
【００４３】
また、標準彩度の色光と高彩度の色光を生成する場合には、両色光の明るさ（強度）が互いに略等しくなるように、生成する色光の明るさの調整を行うことが好ましい。例えば、上記色票Ｐ１４の色に対応する標準彩度の色光と高彩度の色光の明るさを揃えるためには、色票Ｐ１４の色の分光特性においてピーク波長となる波長成分の強度が、標準彩度の色光と高彩度の色光とにおいて互いに略等しくなるように調整することが挙げられる。同様に、上記色票Ｐ５の色に対応する標準彩度の色光と高彩度の色光の明るさを揃えるためには、色票Ｐ５の色の分光特性において最大のピーク波長となる波長成分の強度が、標準彩度の色光と高彩度の色光とにおいて互いに略等しくなるように調整することが挙げられる。他の色票の色についても同様に調整することが可能である。
【００４４】
〈色再現評価方法〉
以下、上述した高彩度色光生成装置１０を用いた色再現評価方法について説明する。
【００４５】
《装置のセッティング》
図１に示すように、被検カメラ７０が積分球３０の出力用開口３１から出射される色光を撮影し得るように、高彩度色光生成装置１０の積分球３０を被検カメラ７０の前方に配置する。その際、被検カメラ７０のレンズのシェーディングが解析に影響しないように、撮影時の画角や視距離が調整される。
【００４６】
本実施形態では、被検カメラ７０により撮影された画像データを、解析制御装置４０において解析することにより、被検カメラ７０の色再現評価を行う。解析制御装置４０への指示は、キーボードやマウス等からなる入力装置（図示略）を介して行い、被検カメラ７０により撮影された画像や色再現評価の結果等は、解析制御装置４０の表示画面上に表示されるようになっている。
【００４７】
《色再現評価の手順》
（１）解析制御装置４０において、カラーチャート５０の各色票Ｐ１〜Ｐ１８のうちの所定の色票（例えば、色票Ｐ１）の色の分光特性を２乗してなる分光特性を、高彩度化分光特性として設定する（分光特性設定ステップ）。
【００４８】
（２）解析制御装置４０により設定された高彩度化分光特性に基づき、色光生成装置２０において、光源光の各波長成分の強度を調整し調整後の各波長成分を合成することにより、光源光の分光分布と高彩度化分光特性とを乗算してなる分光特性を有する高彩度の色光を生成する（色光生成ステップ）。
【００４９】
（３）色光生成装置２０により生成された高彩度の色光を、積分球３０において拡散し出力用開口３１から出射する（拡散出射ステップ）。
【００５０】
（４）積分球３０の出力用開口３１から出射された高彩度の色光を、被検カメラ７０により撮影する（色光撮影ステップ）。
【００５１】
（５）解析制御装置４０において、被検カメラ７０により撮影された高彩度の色光の再現色データを、該高彩度の色光の参照用色データ（例えば、図９に示す色度点）と比較する（例えば、両者の色差を求める）ことにより、被検カメラ７０による色再現性を評価する（色再現評価ステップ）。
【００５２】
（６）上記（１）〜（５）のステップを、カラーチャート５０の各色票Ｐ１〜Ｐ１８の色について、順次繰り返す。
【００５３】
なお、高彩度色光生成装置１０によりカラーチャート５０の各色票Ｐ１〜Ｐ２４の色と同じ分光特性を有する標準彩度の色光を生成し、この標準彩度の色光を用いて、上述の（１）〜（６）のステップと同様の手順により、被検カメラ７０による色再現性を評価するようにしてもよい。この場合、無彩色の色票Ｐ１９〜Ｐ２４の色に関する色再現評価は、標準彩度の色光を用いて行い、高彩度の色光は、有彩色の色票Ｐ１〜Ｐ１８に対応した色光のみを生成して、高彩度な色域での有彩色の色再現評価に用いるようにしてもよい。
【００５４】
図１１に、各高彩度の色光を被検カメラ７０により撮影した際に、被検カメラ７０により再現された各高彩度の色光の色（以下、適宜「再現色」と称する）と、その本来の色（以下、適宜「参照色」と称する）との色差の一例を示す。なお、図１１に示すグラフの横軸は、カラーチャート５０の各色票Ｐ１〜Ｐ２４の番号（１〜２４）を表し、縦軸は、ＣＩＥ９４色差（ΔＥ＊９４）の値を表している。
【００５５】
また、図１２に、ＸＹＺ表色系のｘｙ色度図上において、上記再現色の色度点（図中「再現色度点」と表記）と上記参照色の色度点（図中「参照色度点」と表記）をプロットしたグラフを示す。なお、図１２のグラフ中に表記された数字（１〜１９，２４）は、カラーチャート５０の各色票Ｐ１〜Ｐ２４の番号に対応している。
【００５６】
〈色再現の校正〉
被検カメラ７０により再現された色を校正する場合には、例えば、被検カメラ７０の色再現特性を決める３×３のマトリックスの係数を、上記再現色と上記参照色との色差が最小になるように最適化する。通常、この最適化の過程において、上述した色再現評価が何度も行われ、最適化されたときの色再現評価値が被検カメラ７０の色再現性能とされる。なお、最適化するための手法としては、例えば、Nelder-Meadシンプレックス法（下記参考文献２，３を参照）を用いることができる。
【００５７】
参考文献２：Nelder, J. A. and R. Mead, "A Simplex Method for Function Minimization," Computer Journal, Vol. 7, p. 308-313, 1965.
参考文献３：Dennis, J. E. Jr. and D. J. Woods, "New Computing Environments: Microcomputers in Large-Scale Computing," edited by A. Wouk, SIAM, 1987, pp. 116-122.
【００５８】
〈態様の変更〉
以上、本発明の実施形態について説明したが、本発明は上述の実施形態に限定されるものではなく、種々に態様を変更することが可能である。
【００５９】
例えば、上記高彩度色光生成装置１０では、カラーチャート５０の各色票の色の分光反射率を、色票の色の分光特性として用いているが、カラーチャート５０を標準的な光（例えば、Ｄ６５光源の光）で照明した際に各色票から反射される各色光の分光分布を、色票の色の分光特性として用いることも可能である。また、各色票が透過型の色票である場合には、各色票の色の分光透過率や、各色票を標準的な光で照明した際に各色票を透過する色光の分光分布を、色票の色の分光特性として用いることも可能である。
【００６０】
また、生成する高彩度の色光が有するべき理想の分光分布、例えば、Ｄ６５光源の光の分光分布をＰＤ６５（λ）、色票の色の分光反射率を{Ｒ（λ）}２とするとき、ＰＤ６５（λ）×{Ｒ（λ）}２となる分光分布を予め設定し、実際に生成される高彩度の色光の分光分布が理想の分光分布と一致するように、上記色光生成装置２０の波長成分強度調整素子２４において、光源光の各波長成分の割合（相対強度）を調整するようにしてもよい。この場合には、実際に生成される高彩度の色光の分光分布を測定する分光分布測定手段や、測定された実際の分光分布と理想の分光分布とを比較して実際の分光分布が理想の分光分布に近づくように調整する比較調整手段等のフィードバック機構を備えることが好ましい。
【００６１】
また、上記高彩度色光生成装置１０では、色光生成装置２０により生成された色光を拡散して出射するための拡散出射手段として積分球３０を用いているが、フライアイやロッドレンズ、拡散板等の他の光学素子を拡散出射手段として用いるようにしてもよい。
【００６２】
また、上記高彩度色光生成装置１０では、高彩度の色光を一色ずつ生成して出射するように構成されている。このため、カラーチャート５０の各色票を一度に撮影する場合に懸念されるグレアの影響（隣り合う色票の光の漏れ）を考慮する必要が無いという利点があるが、各高彩度の色光を全て撮影するのに時間がかかる。そこで、高彩度色光生成装置１０を複数配列して、異なる色の高彩度の色光を各高彩度色光生成装置１０においてそれぞれ生成し、それらを一度に撮影できるように構成することも可能である。
【００６３】
また、本発明では、所定の色域に対応した色票の色の分光特性を２乗してなる分光特性を高彩度化分光特性として設定しているが、色票の色の分光特性を「２」以外の他の数値（例えば、１＜ａ≦３や、１．７≦ａ≦２．３を満たす任意の定数ａ）で冪乗してなる分光特性を高彩度化分光特性として設定することも可能である。
【符号の説明】
【００６４】
１０    高彩度色光生成装置
２０    色光生成装置
２１    光源
２２，２５    レンズ
２３    分光素子
２４    波長成分強度調整素子
２６    導光素子
３０    積分球
４０    解析制御装置
５０    カラーチャート
７０    被検カメラ
Ｐ１〜Ｐ２４    色票
【図１】
0005918993.tif 000002
【図２】
0005918993.tif 000003
【図３】
0005918993.tif 000004
【図４】
0005918993.tif 000005
【図５】
0005918993.tif 000006
【図６】
0005918993.tif 000007
【図７】
0005918993.tif 000008
【図８】
0005918993.tif 000009
【図９】
0005918993.tif 000010
【図１０】
0005918993.tif 000011
【図１１】
0005918993.tif 000012
【図１２】
0005918993.tif 000013